(57)【特許請求の範囲】
【請求項１】
画像情報に応じて光学像を形成する複数の光変調装置を備えた画像表示装置からの出射光束を、センサで検出して前記複数の光変調装置を調整する画像表示装置の調整方法であって、前記画像表示装置の内部を含む前記出射光束の光路上に、各光変調装置に応じた前記複数の光変調装置のコントラスト比よりもよい光の選択比を有するカラーフィルタを配置して、前記センサにより各光変調装置の光透過特性を検出し、前記複数の光変調装置の調整を行うことを特徴とする画像表示装置の調整方法。
【請求項２】
請求項１ に記載の画像表示装置の調整方法において、前記画像表示装置は、前記複数の光変調装置による変調光束を合成する色合成光学系と、この色合成光学系により合成された光束を拡大投写する投写レンズとを備え、前記カラーフィルタは、前記色合成光学系および前記投写レンズの間に配置されることを特徴とする画像表示装置の調整方法。
【請求項３】
請求項１ に記載の画像表示装置の調整方法において、前記画像表示装置は、前記複数の光変調装置による変調光束を拡大投写する投写レンズを備え、前記カラーフィルタは、この投写レンズの光出射部に着脱可能に構成されていることを特徴とする画像表示装置の調整方法。
【請求項４】
請求項２ に記載の画像表示装置の調整方法において、前記カラーフィルタは、前記センサの光検出部を覆うように配置されていることを特徴とする画像表示装置の調整方法。
【請求項５】
請求項１ に記載の画像表示装置の調整方法において、前記カラーフィルタは、ダイクロイックミラーから構成されていることを特徴とする画像表示装置の調整方法。
【請求項６】
請求項１ 〜請求項５ のいずれかに記載の画像表示装置の調整方法において、前記カラーフィルタの光入射面は、前記出射光束の進行方向に対して傾いていることを特徴とする画像表示装置の調整方法。
【請求項７】
請求項１ 〜請求項６ のいずれかに記載の画像表示装置の調整方法において、前記調整対象となる光変調装置の測定時、調査対象以外の光変調装置は、前記調整対象となる光変調装置よりも暗色表示されていることを特徴とする画像表示装置の調整方法。
【発明の詳細な説明】
【０００１】
【発明の属する技術分野】
本発明は、画像情報に応じて光学像を形成する複数の光変調装置を備えた画像表示装置からの出射光束を、センサで検出して前記複数の光変調装置を調整する画像表示装置の調整方法に関し、例えば、複数の液晶パネルを用いた投写型表示装置の液晶パネルを調整する場合に利用することができる。
【０００２】
【背景技術】
従来より、画像情報に応じて光学像を形成する複数の光変調装置を備えた画像表示装置が利用されている。このような画像表示装置としては、例えば、光源と、この光源から出射された光束をＲ、Ｇ、Ｂの三原色に分離する色分離光学系と、分離された各色光束を画像情報に応じて変調する３枚の光変調装置と、各光変調装置で変調された光束を再合成する色合成光学系と、この色合成光学系で合成された光束を拡大投写する投写レンズとを備えた投写型表示装置が知られている。そして、前記光変調装置の変調素子としては、透過型の液晶パネルが多く採用されている。
【０００３】
このような液晶パネルは、一般的に液晶パネルに印加される電圧と、それにより実現される液晶パネルの光透過度との関係はリニアではなく、特定の電圧範囲で使用するときにのみ最大のコントラストが得られるという特性を有する。従って、液晶パネルを投写型表示装置等の画像表示装置に利用する場合、この最大コントラストとなる電圧範囲で作動させるように、調整を行う必要がある。この調整は、具体的には、液晶パネルの光透過度の変化を見ながら液晶パネルの対向電極のバイアス電圧を変化させ、最適のバイアス電圧を決定するという方法で行う。
【０００４】
従って、上述のような３枚の液晶パネルを備えた投写型表示装置の場合、各液晶パネルについてバイアス電圧調整を行うには、その液晶パネルを透過する光のみをスクリーン上で確認する必要があり、他の液晶パネルを透過する光を遮断しなければならない。
【０００５】
このため、従来は、液晶パネル近傍に遮光板を配置し、調整対象以外の液晶パネルについては、遮光板で機械的に透過光を遮断したり、特許第２６５６８５４号に開示されるように、調整対象以外の液晶パネルに黒色画像信号を与え、電気的に透過光を遮断することが行われていた。
【０００６】
【発明が解決しようとする課題】
しかしながら、機械的に透過光を遮断する場合、画像表示装置内部に遮光のための機構を設けなければならず、装置内部の構造の複雑化を招くという問題がある。また、機械的遮光の場合、遮光板に光が集中し、装置内部の温度分布が変化して、測定誤差を生じる可能性があり、液晶パネルの調整を正確に行うことができないという問題がある。
【０００７】
一方、電気的に透過光を遮断する場合、機械的遮光の場合のように、構造の複雑化を招くことはないが、液晶パネルに黒色画像信号を与えても、完全に透過光を遮断することは困難であり、他の液晶パネルからの漏れ光により測定誤差が生じ、前記と同様に、液晶パネルの調整を正確に行うことができないという問題がある。
【０００８】
すなわち、理想的な液晶パネルの印加電圧と光透過度の関係は、図４のグラフＧ１で表され、これに基づいてバイアス電圧調整を行えば、液晶パネルのバイアス電圧調整を正確に行うことができる。しかしながら、調整対象以外の液晶パネルが存在し、これらの漏れ光が調整対象となる液晶パネルに影響を与える場合、印加電圧と光透過度の関係は、図４のグラフＧ２のようになり、前記の理想的なグラフＧ１との間にずれを生じる。従って、このグラフＧ２に基づいてバイアス電圧調整を行っても、グラフＧ１、Ｇ２間の偏差の分だけ正確なバイアス電圧調整を行うことが困難になるという問題がある。
【０００９】
本発明の目的は、複数の光変調装置を備えた画像表示装置において、各光変調装置の光透過特性を正確に検出して光変調装置の調整を正確に行うことができ、かつ画像表示装置内部の構造の複雑化を招くことのない画像表示装置の調整方法を提供することにある。
【００１０】
【課題を解決するための手段】
前記目的を達成するために、本発明に係る画像表示装置の調整方法は、画像情報に応じて光学像を形成する複数の光変調装置を備えた画像表示装置からの出射光束を、センサで検出して前記複数の光変調装置を調整する画像表示装置の調整方法であって、前記画像表示装置の内部を含む前記出射光束の光路上に、各光変調装置に応じた前記複数の光変調装置のコントラスト比よりもよい光の選択比を有するカラーフィルタを配置して、前記センサにより各光変調装置の光透過特性を検出し、前記複数の光変調装置の調整を行うことを特徴とする。
【００１１】
ここで、各光変調装置に応じたカラーフィルタとは、各光変調装置が透過する光束の色を透過し、それ以外の色の光束は透過しないようなフィルタを意味する。例えば、画像表示装置が赤色光束を変調する光変調装置、緑色光束を変調する光変調装置、および青色光束を変調する光変調装置の３枚から構成され、赤色光束を変調する赤色光変調装置を調整する場合、カラーフィルタとしては、赤色光束のみを透過し、緑色光束および青色光束を透過しない赤色光透過フィルタを採用すればよく、緑色光変調装置を調整する場合は緑色光透過フィルタ、青色光変調装置を調整する場合は青色光透過フィルタを採用すればよい。
【００１２】
これらのフィルタにおける赤色光束、緑色光束、青色光束の境界は、一般に、赤色光束および緑色光束の境界が５６０〜６００ｎｍの間、緑色光束および青色光束の境界が４８０〜５２０ｎｍの間でフィルタの透過率が帯域の最高値の５０％となるところを帯域の端（遮断波長）として定義している。従って、赤色光透過フィルタの透過光の上限遮断波長が６００ｎｍ、緑色光透過フィルタの透過光の下限遮断波長が５６０ｎｍという場合も考えられ得る。
【００１３】
通常、色純度を上げるためにはフィルタの光透過帯域を狭くし、明るさを上げるためには光透過帯域を広くすればよいが、複数の光変調装置の個々を調整する場合、同じ光を利用するわけには行かないので、帯域が重なった時点で明るさの向上は飽和することにある。従って、上記各フィルタの光透過帯域をどこに設定するかは設計的事項となるが、光源からの出射光束を、赤色光束、緑色光束、および青色光束に分離する色分離光学系を画像表示装置が備えている場合、この色分離光学系を構成するダイクロイックミラーの特性に、各フィルタの光透過帯域特性を揃えることにより、理想的に光変調装置の調整を行うことができる。
【００１４】
すなわち、カラーフィルタの特性がダイクロイックミラーの特性と異なっていると、例えば、赤、青、緑の各色光束を変調する３枚の光変調装置に同じ信号を入力して調整を行う場合、緑色光透過フィルタで緑色光束変調装置の調整を行っているつもりでも、フィルタの特性の違いにより青色、赤色光束も透過してしまう自体が発生し得る。これに対して、カラーフィルタの特性をダイクロイックミラーの特性に合わせれば、このような自体を回避でき、正確な測定および調整を行うことができる。尚、３枚の光変調装置のうち１つだけに白色、残りは黒色画像を表示する信号を入力して調整する場合においても、前記のように漏れ光を考慮すれば、程度の差はあっても同様である。
【００１５】
このような本発明によれば、画像表示装置からの出射光束の光路上にカラーフィルタを配置しているので、調整対象以外の光変調装置からの出射光束はカラーフィルタにより遮られ、調整対象となる光変調装置からの出射光束のみがセンサまで到達し、光変調装置の光透過特性をセンサで高精度に検出することが可能となる。従って、背景技術で説明したように、機械的遮光の場合のような遮光板に光が集中し画像表示装置内部の温度分布が変化して測定誤差を生じることもなく、遮光板を設けることによる画像表示装置の構造の複雑化を招くこともない。また、電気的遮光の場合のように、調整対象以外の光変調装置からの漏れ光が、調整対象となる光変調装置の出射光束に干渉することもなく、該光変調装置の光透過特性を高精度に検出して正確な調整を行うことが可能となる。また、上述したカラーフィルタは、前記複数の光変調装置のコントラスト比よりもよい光の選択比を有し、具体的には、液晶パネルのコントラスト比が１ ／２００ である場合、カラーフィルタの光の選択比はそれ以上である。このような光の選択比を有するカラーフィルタとしては、ダイクロイックミラーを採用することができる。すなわち、このようなカラーフィルタであれば、光の選択比が光変調装置のコントラスト比よりもよいので、漏れ光等による測定誤差を確実に防止することが可能となり、光変調装置に光透過特性を一層高精度に検出できる。
【００１６】
以上において、画像表示装置が複数の光変調装置による変調光束を合成する色合成光学系、およびこの色合成光学系により合成された光束を拡大投写する投写レンズを備えている場合、上述したカラーフィルタは、以下のいずれかの部位に配置するのが好ましい。
【００１７】
（１）  まず、色合成光学系および投写レンズの間にカラーフィルタを配置することが考えられる。光変調装置および色合成光学系は、通常、側面Ｌ字の構造体の内側水平面に載置され、投写レンズは、構造体の外側垂直面にねじ止め固定されている。そして、色合成光学系と投写レンズの固定部分の間には、隙間が形成されるので、この隙間部分にカラーフィルタを挿抜可能に構成すれば、画像表示装置内部の構造の複雑を招くことなく、正確に光透過特性の調整を行うことが可能となる。尚、カラーフィルタの交換は、装置本体を収納する外装ケースの前記隙間部分に対応する位置にスリット等を設けておき、このスリットを利用してカラーフィルタを交換すればよい。
【００１８】
（２）  次に、投写レンズの先端の光出射部にカラーフィルタを着脱可能に構成することが考えられる。カラーフィルタの配置をこのように光出射部の先端に取り付けるようにすれば、画像表示装置の内部構造を変更することなく、簡単かつ正確な光透過特性の調整をすることが可能となる。
【００１９】
（３）  そして、画像表示装置の出射光を検出するセンサの光検出部を覆うようにカラーフィルタを配置することが考えられる。具体的には、調整する光変調装置の数だけ、センサの光検出部を設けておき、各光検出部を異なるカラーフィルタで覆えばよい。そして、調整対象となる光変調装置と、使用するカラーフィルタとの対応は、どの光検出部からの信号をセンサに入力するかを選択すればよい。このようにすれば、カラーフィルタの交換等の作業をすることなく、電気的なスイッチを切り替えるだけで、前記目的を達成できるので、画像表示装置の調整の自動化を図ることが可能となり、画像表示装置の量産化等に対応し易い。
【００２２】
さらに、上述したカラーフィルタの光入射面は、画像表示装置からの出射光束の進行方向に対して傾いているのが好ましい。
【００２３】
すなわち、カラーフィルタの光入射面が出射光束の進行方法に対して傾いていることにより、該カラーフィルタが遮断または反射した光束が、投写型表示装置からの出射光束の光路を逆進して、調整対象となる光変調装置の出射光束に影響を与えることもなく、一層正確に調整することが可能となる。
【００２４】
そして、調整対象となる光変調装置の測定時、調整対象以外の光変調装置は、前記調整対象となる光変調装置よりも、暗色表示されているのが好ましい。
【００２５】
ここで、調整対象以外の光変調装置を暗色表示する方法としては、例えば、ノーマリーブラックの光変調装置であれば、調整対象以外の光変調装置への電源供給を遮断するように構成すればよく、ノーマリーホワイトの光変調装置であれば、黒色画像信号等の信号を送るように構成すればよい。
【００２６】
すなわち、調整対象以外の光変調装置が暗色表示されていれば、カラーフィルタでにおける反射光の光量が低減されるので、カラーフィルタによる反射光の影響を受けにくくすることができ、調整対象となる光変調装置を一層高精度に調整することが可能となる。
【００２７】
【発明の実施の形態】
以下、本発明の実施の一形態を図面に基づいて説明する。
【００２８】
図１には、本実施形態に係る画像表示装置の調整方法を実施するための調整システムが示され、この調整システムは、調整対象となる投写型表示装置１、この投写型表示装置１に調整用の信号を与える信号発生器２、投写型表示装置１からの出射光束が投写されるスクリーン３、および投写型表示装置１からの出射光束を検出するセンサ４を備えている。そして、投写型表示装置１から出射された出射光束のスクリーン３に至る光路の中間には、カラーフィルタ５が配置されている。尚、図１では図示を略したが、前記スクリーン３は、センサ４の光検出部４１が外部光の影響を受けないように、暗箱中に設けられ、この暗箱中で投写型表示装置１の調整が行われる。
【００２９】
投写型表示装置１は、図２に示される光学系を有し、光源ランプユニット８、光学ユニット１０、および投写レンズ６を備えている。光学ユニット１０は、光源ランプユニット８からの光束（Ｗ）の面内照度分布を均一化する照明光学系９２３と、この照明光学系９２３からの光束（Ｗ）を、赤（Ｒ）、緑（Ｇ）、青（Ｂ）に分離する色分離光学系９２４と、各色光束Ｒ、Ｇ、Ｂを画像情報に応じて変調する電気光学装置９２５と、変調後の各色光束を合成する色合成光学系としてのプリズムユニット９１０とを含んで構成されている。
【００３０】
照明光学系９２３は、第１のレンズ板９２１と、その出射側に配置された第２のレンズ板９２２と、光源ランプユニット８から出射された光束Ｗの光軸１ａを装置１前方向に折り曲げる反射ミラー９３１とを備えている。
【００３１】
第１のレンズ板９２１は、マトリクス状に配置された複数の矩形レンズを有しており、光源から出射された光束を複数の部分光束に分割し、各部分光束を第２のレンズ板９２２の近傍で集光させる。
【００３２】
第２のレンズ板９２２は、マトリクス状に配置された複数の矩形レンズを有しており、第１のレンズ板９２１から出射された各部分光束を電気光学装置９２５を構成する光変調装置である液晶パネル９２５Ｒ、９２５Ｇ、９２５Ｂ（後述）上に重畳させる機能を有している。
【００３３】
このように、本例の投写型表示装置１では、照明光学系９２３により、液晶パネル９２５Ｒ、９２５Ｇ、９２５Ｂ上をほぼ均一な照度の光で照明することができるので、照度ムラのない投写画像を得ることができる。
【００３４】
色分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３から出射される光束Ｗに含まれている青色光束Ｂおよび緑色光束Ｇが直角に反射され、緑反射ダイクロイックミラー９４２の側に向かう。
【００３５】
赤色光束Ｒは、この青緑反射ダイクロイックミラー９４１を通過し、後方の反射ミラー９４３で直角に反射されて、赤色光束Ｒの出射部９４４からプリズムユニット９１０の側に出射される。
【００３６】
次に、青緑反射ダイクロイックミラー９４１で反射された青色、緑色光束Ｂ、Ｇのうち、緑反射ダイクロイックミラー９４２において、緑色光束Ｇのみが直角に反射されて、緑色光束Ｇの出射部９４５からプリズムユニット９１０側に出射される。
【００３７】
この緑反射ダイクロイックミラー９４２を通過した青色光束Ｂは、青色光束Ｂの出射部９４６からリレー光学系９２７の側に出射される。本例では、照明光学系９２３の光束Ｗの出射部から、色分離光学系９２４における各色光束Ｒ、Ｇ、Ｂの出射部９４４、９４５、９４６までの距離が全て等しくなるように設定されている。
【００３８】
色分離光学系９２４の赤色、緑色光束Ｒ、Ｇの出射部９４４、９４５の出射側には、それぞれ集光レンズ９５１、９５２が配置されている。従って、各出射部から出射した赤色、緑色光束Ｒ、Ｇは、これらの集光レンズ９５１、９５２に入射して平行化される。
【００３９】
このように平行化された赤色、緑色光束Ｒ、Ｇは、入射側偏光板９６０Ｒ、９６０Ｇを通って光変調装置である液晶パネル９２５Ｒ、９２５Ｇに入射して変調され、各色光に対応した画像情報が付加される。すなわち、これらの液晶パネル９２５Ｒ、９２５Ｇは、前述のドライバーボードによって画像情報に応じてスイッチング制御されて、これにより、ここを通過する各色光の変調が行われる。
【００４０】
一方、青色光束Ｂは、リレー光学系９２７を介して対応する液晶パネル９２５Ｂに導かれ、ここにおいて、同様に画像情報に応じて変調が施される。尚、本実施形態の液晶パネル９２５Ｒ、９２５Ｇ、９２５Ｂとしては、例えば、ポリシリコンＴＦＴをスイッチング素子として用いたものを採用することができる。
【００４１】
リレー光学系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、液晶パネル９２５Ｂの手前側に配置した集光レンズ９５３とから構成されており、集光レンズ９５３から出射した青色光束Ｂは、入射側偏光板９６０Ｂを通って液晶パネル９２５Ｂに入射して変調される。
【００４２】
この際、光束Ｗの光軸１ａおよび各色光束Ｒ、Ｇ、Ｂの光軸１ｒ、１ｇ、１ｂは同一平面内に形成されるようになる。そして、各色光束の光路の長さ、すなわち光源ランプ１８１から各液晶パネルまでの距離は、青色光束Ｂが最も長くなり、従って、この光束の光量損失が最も多くなる。しかし、リレー光学系９２７を介在させることにより、光量損失を抑制できる。
【００４３】
次に、各液晶パネル９２５Ｒ、９２５Ｇ、９２５Ｂを通って変調された各色光束Ｒ、Ｇ、Ｂは、出射側偏光板９６１Ｒ、９６１Ｇ、９６１Ｂを通ってプリズムユニット９１０に入射され、ここで合成される。そして、このプリズムユニット９１０によって合成されたカラー画像が投写レンズ６を介して所定の位置にあるスクリーン３上に拡大投写されるようになっている。
【００４４】
信号発生器２は、上述した投写型表示装置１に調整用のサンプル信号を与え、投写型表示装置１の液晶パネル９２５Ｒ、９２５Ｇ、９２５Ｂのいずれかの透過光をスクリーン３上に表示させるものである。具体的には、例えば、液晶パネル９２５Ｒの調整を行う場合、液晶パネル９２５Ｒには、電圧を印加し、他の液晶パネル９２５Ｇ、９２５Ｂには、これらを暗色表示させる旨の信号が入力される。尚、暗色表示させるには、液晶パネル９２５Ｇ、９２５Ｂに黒色画像信号を入力するようにしてもよいし、ノーマリーブラックの液晶パネルであれば、画像信号入力系の中間部分にスイッチング素子を設け、スイッチング素子の切り替えにより液晶パネル９２５Ｇ、９２５Ｂに画像信号が入力されないようにしてもよい。
【００４５】
センサ４は、投写型表示装置１の出射光束が投写されるスクリーン３上に配置される光検出部４１と、この光検出部４１からの検出信号を処理する測定部４２とを含んで構成される。光検出部４１は、受けた光束の光量に応じた検出信号を出力するＣＣＤ等の光検出素子から構成され、投写型表示装置１の投写領域の端部、中央部を同時に測定するために、図３に示すように、９カ所に設けられている。
【００４６】
カラーフィルタ５は、調整対象となる液晶パネル９２５Ｒ、９２５Ｇ、９２５Ｂに応じた３種類のフィルタから構成され、赤色光束反射ダイクロイックミラー、緑色光束反射ダイクロイックミラー、および青色光束反射ダイクロイックミラーのうちの２枚を組み合わせて構成されている。具体的には、液晶パネル９２５Ｒの調整を行う場合には、緑色光束反射ダイクロイックミラーおよび青色光束反射ダイクロイックミラーの組み合わせ、液晶パネル９２５Ｇの調整を行う場合には、赤色光束反射ダイクロイックミラーおよび青色光束反射ダイクロイックミラーの組み合わせ、液晶パネル９２５Ｂの調整を行う場合には、赤色光束反射ダイクロイックミラーおよび緑色光束反射ダイクロイックミラーの組み合わせで、カラーフィルタ５を構成する。尚、ダイクロイックミラーを組み合わせたカラーフィルタ５の光透過特性（光透過波長帯域）は、色分離光学系９２４を構成するダイクロイックミラー９４１、９４２の光透過特性に揃えられている。
【００４７】
このようなカラーフィルタ５の光入射面５Ａは、図１に示すように、投写型表示装置１からの出射光束の進行方向に対して傾いて配置される。そして、このカラーフィルタ５の入射面５Ａの傾きにより、赤色光束Ｒ、緑色光束Ｇ、青色光束Ｂのうち、カラーフィルタ５により反射された光束は、光入射面５Ａの傾きに従って、投写型表示装置１からの出射光束の進行方向とは異なる方向に反射し、出射光束の光路を逆進しないようになっている。
【００４８】
次に、上述した調整システムによる画像表示装置の調整方法の手順について説明する。尚、以下に説明する調整システムの手順は、投写型表示装置１、信号発生器２、センサ４に接続されるコンピュータ（図示略）により自動的に行われる。
【００４９】
（１）  調整システムのスイッチを入れると、投写型表示装置１の光源ランプ１８１が点灯し、信号発生器２からフリッカ調整信号が出力され、投写型表示装置１の投写画像のちらつきを調整する。
【００５０】
（２）  フリッカ調整終了後、投写画像内にノイズが生じるか否かの確認、投写画像の幅方向位置の確認のためのイネーブル調整を行う。
【００５１】
（３）  これらの調整が終了した後、各液晶パネル９２５Ｒ、９２５Ｇ、９２５Ｂの印加電圧Ｖと透過率Ｔの関係を測定しながら、バイアス電圧の調整を行う。例えば、液晶パネル９２５Ｒの調整を行う場合、まず、投写レンズ６の前に緑色光束反射ダイクロイックミラーおよび青色光束反射ダイクロイックミラーを組み合わせたカラーフィルタ５を配置する。投写レンズ６からの出射光束はこのカラーフィルタ５により、赤色光束のみが透過してセンサ４の光検出部４１に到達する。尚、本実施形態では、液晶パネル９２５Ｒを介した出射光束は、図３の中央一点鎖線の下半分の領域に投写され、上半分の領域には、投写型表示装置１の光源ランプ１８１から直接出射された光束が投写されるようになっている。光源ランプ１８１の輝度にばらつきがあるため、該光源ランプ１８１からの直接の出射光束を参照して、相対的な液晶パネル９２５Ｒの透過度を測定するためである。
【００５２】
（４）  この状態において、信号発生器２により液晶パネル９２５Ｒの印加電圧を調整しながら、その際の光透過度をセンサ４で検出し、印加電圧Ｖと透過率Ｔの関係を測定し、液晶パネル９２５Ｒで使用する印加電圧Ｖの範囲を決定する。
【００５３】
以下、他の液晶パネル９２５Ｇ、９２５Ｂについても、順次同様の操作により印加電圧Ｖの範囲を決定する。
【００５４】
前述のような本実施形態によれば、以下のような効果がある。
【００５５】
すなわち、例えば、調整対象が液晶パネル９２５Ｒである場合、投写型表示装置１からの出射光束の光路上に、緑色光束反射ダイクロイックミラーおよび青色光束反射ダイクロイックミラーを組み合わせたカラーフィルタ５が配置されるので、調整対象以外の液晶パネル９２５Ｇ、９２５Ｂからの出射光束は、カラーフィルタで遮られ、液晶パネル９２５Ｒからの出射光束のみをセンサ４の光検出部４１で検出することができる。従って、投写型表示装置１の内部に光路を塞ぐ遮光板のようなものを別途設ける必要がなく、装置内部の構造の複雑化を招くこともない。また、機械的遮光を行うことに伴い、装置内部の温度分布が変化して測定誤差を招くようなこともない。さらに、電気的遮光の場合のように、調整対象以外の液晶パネル９２５Ｇ、９２５Ｂからの漏れ光が液晶パネル９２５Ｒからの出射光束に干渉することもなく、液晶パネル９２５Ｒの光透過特性をセンサ４で正確に検出でき、液晶パネル９２５Ｒの調整を正確に行うことができる。
【００５６】
また、カラーフィルタ５が投写型表示装置１の投写レンズ６の光出射部とスクリーン３との間に配置されるので、投写型表示装置１の内部構造を変更することなく、簡単かつ正確な調整を行うことができる。
【００５７】
さらに、カラーフィルタ５として、ダイクロイックミラーを組み合わせたものを採用しているので、液晶パネル９２５Ｒ、９２５Ｇ、９２５Ｂのコントラスト比よりも、光の選択比がよく、赤色光束、緑色光束、青色光束の分離を高精度に行うことができ、測定誤差の発生を一層低減することができる。
【００５８】
そして、カラーフィルタ５の光入射面の角度が投写型表示装置１からの出射光束の進行方向に対して傾いているので、カラーフィルタ５が遮断または反射した光束が、投写型表示装置からの出射光束の光路を逆進して、調整対象となる液晶パネル９２５Ｒ、９２５Ｇ、９２５Ｂの出射光束に影響を与えることもなく、液晶パネルの光透過特性を一層正確に検出できる。
【００５９】
また、液晶パネル９２５Ｒの調整時、調整対象以外の液晶パネル９２５Ｇ、９２５Ｂが暗色表示されるように構成されているので、液晶パネル９２５Ｒの調整に際して他の液晶パネル９２５Ｇ、９２５Ｂの影響を一層少なく少なくして光透過特性を一層高精度に測定することができる。
【００６０】
さらに、カラーフィルタ５の光透過特性が色分離光学系９２４を構成するダイクロイックミラー９４１、９４２の光透過特性に揃えられているので、色分離光学系９２４で分離され、各液晶パネル９２５Ｒ、９２５Ｇ、９２５Ｂに供給された波長帯域の光束のみを、カラーフィルタ５で透過させることができ、光変調装置９２５の調整を理想的に行うことができる。
【００６１】
尚、本発明は、前記実施形態に限定されるものではなく、以下に示すような変形をも含むものである。
【００６２】
前記実施形態では、カラーフィルタ５が投写レンズ６とスクリーン３との間に配置されていたが、これに限られない。すなわち、カラーフィルタを投写レンズ６とプリズムユニット９１０との隙間部分に光路を塞ぐように配置してもよく、カラーフィルタ５を投写レンズ６の光出射部に着脱可能に構成してもよい。
【００６３】
すなわち、このような位置にカラーフィルタを配置すれば、従来の画像表示装置の調整システムを用いて簡単に本発明に係る画像表示装置の調整方法を実施することができ、かつ投写型表示装置１の内部構造の複雑化を招くこともない。
【００６４】
また、カラーフィルタをセンサの光検出部を覆うように配置してもよい。この場合、センサの光検出部を調整する液晶パネルの数だけスクリーン３上に設け、各液晶パネルに応じたカラーフィルタで各光検出部を覆うのが好ましい。そして、測定時には、どのカラーフィルタで覆われた光検出部の信号を検出信号として採用するかは、測定部４２で適宜判断すればよい。
【００６５】
このようにすれば、カラーフィルタの交換等の作業を行うことなく、電気的なスイッチの切り替えで検出信号の選択することができるので、スイッチの切り替えのみで所望の光変調装置の光透過特性を検出することができ、画像表示装置の調整の自動化が一層促進され、量産化等に対応し易い。
【００６６】
さらに、前記実施形態は、投写型表示装置の調整システムであったが、これに限らず、複数の光変調装置を備えた画像表示装置であれば、本発明を採用することができ、前記実施形態で述べた効果と同様の効果を享受することができる。
【００６７】
その他、本発明の実施の際の具体的な構造および形状等は、本発明の目的を達成できる範囲で他の構造等としてもよい。
【００６８】
【発明の効果】
前述のような本発明によれば、出射光束の光路上に調整対象となる光変調装置からの光束を透過する光変調装置のコントラスト比よりも良い光の選択比を有するカラーフィルタを配置しているので、調整対象以外の光変調装置からの出射光束はこのカラーフィルタで遮られ、センサでは調整対象となる光変調装置の光透過特性を高精度に検出することができ、光変調装置の正確な調整を行うことができる。
【図面の簡単な説明】
【図１】本発明の実施形態に係る画像表示装置の調整方法を実施するための調整システムの構造を表す模式図である。
【図２】前記実施形態における画像表示装置の光学系の構造を表す模式図である。
【図３】前記実施形態におけるスクリーン上のセンサの光検出部の配置を表す正面図である。
【図４】背景技術における光変調装置の理想的な光透過特性と電気的遮光を行った場合の光透過特性の相違を表すグラフである。
【符号の説明】
１  投写型表示装置（画像表示装置）
４  センサ
５  カラーフィルタ
５Ａ  カラーフィルタの光入射面
６  投写レンズ
４１  光検出部
９１０  プリズムユニット（色合成光学系）
９２５Ｒ、９２５Ｇ、９２５Ｂ  液晶パネル（光変調装置）
Ｒ  赤色光束
Ｇ  緑色光束
Ｂ  青色光束
【図１】
0003632503.tif 000002
【図２】
0003632503.tif 000003
【図３】
0003632503.tif 000004
【図４】
0003632503.tif 000005